(57)【要約】【課題】視力が低下している訓練者に対する訓練効果をより向上させることができる視力回復訓練装置を提供する。【解決手段】訓練者が視力回復訓練装置の筐体内部空間１の注視部４に表示された視力回復訓練画像を注視するための接眼部３を備えるとともに、訓練者の視力を訓練に適した視力に矯正するための視力矯正部７を備える。【選択図】図１
2007097673.tif 000002
【特許請求の範囲】
【請求項１】
目の結像調節機能の訓練を行う視力回復訓練装置であって、
訓練者の視力を訓練に適した視力に矯正するための視力矯正部を備える視力回復訓練装置。
【請求項２】
請求項１記載の視力回復訓練装置であって、
前記視力矯正部は、前記訓練者の視力を、動くマークをとらえられる程度に矯正する視力回復訓練装置。
【請求項３】
請求項１または２記載の視力回復訓練装置であって、
前記訓練者が視力回復訓練装置本体内の視力訓練用画像を注視するための接眼部を備え、
前記視力矯正部は、前記接眼部に視力矯正用レンズを装着する構成である視力回復訓練装置。
【請求項４】
請求項１ないし３のいずれか一項記載の視力回復訓練装置であって、
視力訓練用画像を表示する注視部を筐体内に備え、
前記訓練者の目の位置と前記注視部の位置との光学距離に応じて、前記視力訓練用画像が前記訓練者の網膜上に一定のサイズで投影されるように、前記視力訓練用画像の表示サイズを変化させる表示制御部を備える視力回復訓練装置。
【発明の詳細な説明】
【技術分野】
【０００１】
本発明は、目の結像調節機能の訓練を行う視力回復訓練装置に関するものである。
【背景技術】
【０００２】
一般に、視力の低下は、目の調節筋（毛様体筋）の調節緊張や衰弱によって目の結像調節機能が低下することが一因と考えられており、この筋肉を訓練することによって、視力の回復を期待することができる。従来、この毛様体筋を訓練により活性化し、遠近調節機能を活発にすることによって視力改善を図る方法が実施されている。
【０００３】
例えば、上記の調節筋の働きを活発にすることによって視力改善効果を向上させようとする視力回復訓練装置が提案されている（例えば、特許文献１参照）。この視力回復訓練装置は、マークが表示された注視板を往復移動させて、マークを訓練者に対して近接あるいは離間させるものである。この装置の訓練者がこのマークを注視すると、目の焦点が近距離と遠距離との間を連続して移動するので、調節筋が効率よく訓練される。
【０００４】
上記のような視力回復訓練装置においては、訓練者がマークを注視しなければ訓練の効果が得られないため、各種の工夫がなされている。例えば、装置全体をケースに収容することによって、マークが表示された注視板が空洞内を往復移動しても、外乱を減らして注視しやすくする構成となっている。
【特許文献１】特開平６−３３９５０１号公報
【発明の開示】
【発明が解決しようとする課題】
【０００５】
視力回復訓練装置を使用する訓練者は、視力が低下しているので、通常、眼鏡等による視力矯正を行っている。視力矯正を行わずに裸眼にて訓練した場合、視力低下が著しい訓練者はマークを視認すること自体が難しくなる。また、視力確保のため眼鏡をかけて訓練を実施する場合は、装置全体を収容したケースを覗き込んだときに眼鏡とケースが接触するなど、かえって眼鏡が邪魔になり、訓練に集中できない状況が発生する可能性がある。また、コンタクトレンズで視力矯正している訓練者であれば、接眼部に目を当てて目を圧迫することを避けたい。
【０００６】
本発明は、上記事情に鑑みてなされたものであって、視力が低下している訓練者の訓練効果をより向上させることができる視力回復訓練装置を提供することを目的とするものである。
【課題を解決するための手段】
【０００７】
本発明の視力回復訓練装置は、目の結像調節機能の訓練を行う視力回復訓練装置であって、訓練者の視力を訓練に適した視力に矯正するための視力矯正部を備える。
【０００８】
上記構成によれば、適切な視力を確保した状態で意識を集中して訓練することができるため、視力が低下している訓練者に対する訓練効果をより向上させることができる。
【０００９】
また、本発明の視力回復訓練装置は、前記視力矯正部が、前記訓練者の視力を、動くマークをとらえられる程度に矯正するものである。
【００１０】
上記構成によれば、訓練者が近視又は老視であっても、訓練者の視力は訓練中に疲労感を感じることのない適切な視力に矯正されるため、訓練効果を向上させることができる。
【００１１】
また、本発明の視力回復訓練装置は、前記訓練者が視力回復訓練装置本体内の視力訓練用画像を注視するための接眼部を備え、前記視力矯正部が、前記接眼部に視力矯正用レンズを装着する構成である。
【００１２】
上記構成によれば、訓練者が接眼部を覗くだけで適切な視力に矯正されるため、訓練者を煩わせることなく、訓練者は集中して訓練できる。したがって、訓練者の集中力を低下させることなく、効率よく視力回復訓練を行うことができる。
【００１３】
また、本発明の視力回復訓練装置は、視力訓練用画像を表示する注視部を筐体内に備え、前記訓練者の目の位置と前記注視部の位置との光学距離に応じて、前記視力訓練用画像が前記訓練者の網膜上に一定のサイズで投影されるように、前記視力訓練用画像の表示サイズを変化させる表示制御部を備える。
【００１４】
上記構成によれば、網膜上に結像する図形の大きさが一定となるので、調節筋を効率よく訓練することができる。
【発明の効果】
【００１５】
本発明によれば、視力が低下している訓練者に対する訓練効果を向上させることができる。
【発明を実施するための最良の形態】
【００１６】
以下、本発明の実施の形態の視力回復訓練装置について、図面を用いて説明する。
【００１７】
（第１の実施の形態）
図１は、本発明の第１の実施の形態の視力回復訓練装置の要部構成について一部を破断して示す斜視図である。本装置は、大別して筐体内部空間１と注視部移動手段格納部２の二つの構成要素からなる。また、本装置は、訓練者が接眼部３から目視できる位置に配置された筐体内の注視部４以外の例えば注視部移動手段や、装置周囲の景色等の外乱の影響を受けずに訓練できるように構成されている。
【００１８】
接眼部３は筐体内部空間１の壁面の一つに設けられ、訓練者が接眼部３に目を当接させて視力回復訓練装置本体内の注視部４の表示部５に表示された視力訓練用画像であるマーク６を注視することができるようになっている。接眼部３は、少なくとも一つ、好ましくは二つ設ける。視力矯正部７は、訓練者の視力を訓練に適した視力に矯正するためのもので、接眼部３に構成された溝に図示しない視力矯正用レンズを装着することで構成される。
【００１９】
本実施の形態では、注視部４は、訓練者が注視するためのマーク６を適宜変化できるように、例えばＣＲＴ（Cathode Ray Tube）、液晶ディスプレイ、有機ＥＬ（Electro-Luminescence）等の発光素子によるディスプレイなどの電子的な表示手段である表示部５を有しており、注視部移動手段格納部２内に収められた注視部移動手段によって往復移動し、接眼部３との距離を変化させる。
【００２０】
図２は、本実施の形態の視力回復訓練装置の概略構成を示す断面図である。注視部４は、支柱８もしくは他の適宜な支持手段により台座９に固定されている。台座９は、プーリー１０，１１、ベルト１２等で構成された搬送手段に載置されている。また、上記の注視部移動手段は、例えばプーリー１０，１１とベルト１２でベルトコンベアを構成し、ベルト１２と注視部４を接続して、プーリー１１を例えばモーター１３等で回転方向を変えて駆動させることによって、注視部４を往復運動させる。また、ボールねじのナットと注視部４を接続し、ボールねじを例えばモーター１３等で回転方向を変えて回転させることによって注視部４を往復運動させることも実現可能である。
【００２１】
筐体内部空間１と注視部移動手段格納部２の境界には、注視部４を上記の注視部移動手段に接続して往復運動させるのに必要最小限の開口２ｋが設けられている。また、モーター１３の動作及び注視部４の表示は、後述する制御装置２０によって制御される。図示しないが、この制御装置２０は、表示部５、モーター１３等と制御信号を送受信するための信号線で接続されている。
【００２２】
図３は、本実施の形態の視力回復訓練装置の動作を制御する上記制御装置２０の機能構成を示すブロック図である。制御装置２０は、主制御部２１、モーター１３の駆動を制御する注視部移動制御部２２、表示部５の表示を制御する注視部表示制御部２３、及び操作部２４を含む構成となっている。
【００２３】
主制御部２１は、視力回復訓練装置全体の動作を制御するものであり、操作部２４の指示に基づいて注視部移動制御部２２及び注視部表示制御部２３を制御する。注視部移動制御部２２は、モーター１３に対し駆動信号を出力して注視部４の移動を制御する。その際、操作部２４の設定に応じた情報を主制御部２１から取得し、注視部４の移動範囲及び移動速度を制御する。注視部４の移動は連続的であっても間欠的であってもよい。注視部表示制御部２３は、例えばＣＲＴ、液晶ディスプレイ、有機ＥＬ等の発光素子によるディスプレイなどの電子的な表示手段からなる表示部５を駆動し、訓練者が注視するためのマーク６を表示させる。
【００２４】
また、注視部表示制御部２３は、訓練者の目の位置と注視部４の位置との光学距離に応じて、注視部４のマーク６が訓練者の網膜上に一定のサイズで投影されるように、マークの表示サイズを変化させる。接眼部３と注視部４との光学距離の情報は、主制御部２０から取得する。接眼部３と注視部４との光学距離に比例した大きさのマーク６を表示するためのデータは、その都度演算してもよいし、操作情報等を記憶する記憶手段（図示せず）に予め記憶された情報を読み出して表示してもよい。その際、表示するマーク６は、記憶手段に予め記憶させておいたマ−クを必要の都度操作部２４で選択指定して用いてもよいし、訓練者の希望のマーク６を操作部２４から指定して用いてもよい。この場合、接眼部３と注視部４との光学距離に比例した大きさのマーク６を表示するデータは、その都度演算する必要がある。なお、マーク６については、文字、図形、記号、画像等の訓練者が注目しやすく、目の焦点を合わせやすいマークであれば何でも構わない。
【００２５】
上記のように構成された視力回復訓練装置を用いて、視力回復訓練を行う場合、訓練者は、接眼部３から筐体内部空間１内を覗いて、注視部４上のマーク６を注視する。マーク６の位置は、注視部４の移動によって変化するため、訓練者は位置の異なるマーク６を見ていることになる。したがって、マーク６の位置の変化に対応して、目の焦点を合わせる必要が生じ、毛様体筋等の目の結像調節機能を稼働させることになる。これによって、目の結像調節機能の向上が期待できる。このとき、訓練者の目とマーク６との間の光学距離は、正常視力者の近点距離と遠点距離との間で変化させることが好ましい。
【００２６】
図４は、本実施の形態の視力回復訓練装置の注視部４を移動させたときに表示されるマーク６の一例を示す図である。（ａ）は訓練者から最も近い位置、（ｂ）は最も近い位置と最も遠い位置との中間位置、（ｃ）は最も遠い位置の各位置で表示されるマーク６のそれぞれの表示例を示している。このように、訓練者からの距離に比例した大きさで、互いに相似形状のマーク６を表示させることにより、たとえ距離が変化しても、訓練者から見えるマーク６の大きさ及び形状が実質的に変化しないため、訓練者の脳に入力される情報量も変化せず、楽に目の焦点を合わせることができる。
【００２７】
ここで、本視力回復訓練装置を使用する訓練者は通常視力が低下しているが、視力低下が著しい場合には、裸眼でマーク６を視認することも困難であり、訓練効果が損なわれる場合がある。すなわち、視力回復訓練を実施する上で適切な視力を確保することが訓練効果を上げるためには必要である。そこで、本実施の形態の視力回復訓練装置では、視力矯正部７として、接眼部３に視力矯正用レンズを装着できる溝が設けられており、訓練を開始する前に訓練者に適した視力矯正用レンズを装着することで適切な視力を確保することが可能である。訓練に適した視力は、マークが近点から遠点まではっきり見える程度であり、視力矯正部７は、訓練者の視力を、動くマークをとらえられる程度に矯正すれば十分である。強度の矯正は訓練効果の減弱と疲労の原因となるので避けるべきである。
【００２８】
事前に視力矯正用レンズを選択する際に用いるマーク６を、例えばランドルト環やスネレン指標のような一般的に視力測定に用いられるようなマークを利用することで定量的な視力が把握でき、すべての距離で視力が把握できるようマーク６の大きさを変化させながら、遠方と近方の双方で訓練者の視力が裸眼視力以上１．０以下かつ訓練者に負担のかからない程度の視力になるよう視力矯正用レンズを選択すればよい。
【００２９】
このように、本視力回復訓練装置では、視力回復訓練時に接眼部３からマーク６を覗くだけで、訓練に適した視力でマーク６を見ることができる。したがって、適切な視力を確保した状態で意識を集中して訓練することができるため、視力が低下している訓練者に対して訓練効果をより向上させることができ、効率よく視力回復訓練ができる。
【００３０】
（第２の実施の形態）
図５は、本発明の第２の実施の形態の視力回復訓練装置の概略構成を示す断面図である。図２の第１の実施の形態との相違点は、接眼部３の上部に、訓練者の顔と接眼部３との距離を確保するための距離保持部１４を有する点である。なお、本実施の形態では、視力矯正部７と距離保持部１４等とを備える視力回復訓練装置を示すが、距離保持部１４を備える場合、視力矯正部７は必須ではない。本実施の形態の視力回復訓練装置を用いて視力回復訓練を行う場合、第１の実施の形態と同様、訓練者は接眼部３から筐体内部空間１内を覗いて、注視部４上のマーク６を注視する。このとき、訓練者は額を距離保持部１４に当接させた状態で接眼部３を覗く。距離保持部１４の装置筐体からの突出量は調整可能であり、訓練者に合わせてその距離を調整する。距離保持部１４に額を当てて接眼部３と適切な距離を保った状態の訓練者は、接眼部３で目を圧迫されるようなこともなく、特にコンタクトレンズを使用した訓練者にとって好ましい状態で訓練できる。また、距離保持部１４に額が当たっているため、頭の動きが抑えられる。頭が動かなくなると訓練中の視線が安定し、注視部４上のマーク６を注視しやすくなるため、訓練効果の一層の向上を図ることができる。
【００３１】
図６は、本実施の形態における眼鏡を装着した訓練者が訓練を行う様子を示す図である。眼鏡を装着した訓練者が本実施の形態の視力回復訓練装置で視力回復訓練を行う場合、訓練に適した矯正視力であれば、訓練者が通常使用している眼鏡を使用して訓練を実施する。その際、眼鏡と接眼部３がぶつかってしまう恐れがある。実際にぶつかってしまうと、訓練者は不快な思いをするため、訓練への集中力がとぎれてしまう。また、訓練者が眼鏡を接眼部３にぶつけないように配慮しながら訓練する状態も、訓練者にとっては煩わしく、集中力を損なう原因となる。本実施の形態の視力回復訓練装置では、距離保持部１４の突出量は調整可能であり、眼鏡を装着した状態で眼鏡と接眼部３がぶつからない距離を保持するように距離保持部１４の突出量を予め調整しておくことができる。この状態で視力回復訓練を実施すると、訓練者の頭の動きを抑制できるとともに、眼鏡が接眼部３にぶつかることがないため、訓練者は眼鏡をかけた状態で視力回復訓練に集中することができ、より訓練効果の向上を図ることができる。
【００３２】
このように、本実施の形態では、訓練者と接眼部３との距離を確保するための距離保持部１４を備えているため、視力が低下している訓練者に対して訓練の効果がより向上するように、適切な視力を確保した状態で意識を集中して訓練することができ、効率よく視力回復訓練ができる。
【００３３】
なお、図５及び図６に示す構成では、訓練者の額と当接する距離保持部１４を設けた構成としたが、図７に示すように、さらに訓練者の顎部分と当接する距離保持部１５を設けるようにしてもよい。これにより、訓練者の顔と接眼部３との距離を保持し、訓練者の頭の動きを抑制させる効果をさらに発揮することができる。
【００３４】
以上、本発明の実施の形態の視力回復訓練装置について説明したが、図８に示すように、接眼部３からの距離が遠く離れるにしたがって注視部４のマーク６の明るさが明るくなるようにすることが好ましい。そこで、図９に示すように、注視部４の表示部５にマークを表示させる表示手段１６を注視部４と別に設けてもよい。この構成によれば、注視部を可動式にし、表示手段を固定式にすることができるため、大きさや重量が制限される可動式の表示手段を用いる場合に比べて、マーク６の明るさを変化させるのに有利である。なお、図の１６ｈは表示手段１６から表示部５への画像光、１６ｉは接眼部３への反射光をそれぞれ示している。
【産業上の利用可能性】
【００３５】
本発明は、視力が低下している訓練者に対する訓練効果をより向上させることができる効果を有し、目の結像調節機能の訓練を行う視力回復訓練装置等に有用である。
【図面の簡単な説明】
【００３６】
【図１】本発明の第１の実施の形態の視力回復訓練装置の要部構成について一部を破断して示す斜視図
【図２】本発明の第１の実施の形態の視力回復訓練装置の概略構成を示す断面図
【図３】本発明の第１の実施の形態の視力回復訓練装置の動作を制御する制御装置の概略機能構成を示すブロック図
【図４】本発明の第１の実施の形態の視力回復訓練装置の注視部を移動させたときに表示されるマークの一例を示す図
【図５】本発明の第２の実施の形態の視力回復訓練装置の概略構成を示す断面図
【図６】本発明の第２の実施の形態における眼鏡を装着した訓練者が訓練を行う様子を示す説明図
【図７】本発明の第２の実施の形態における眼鏡を装着した訓練者が訓練を行う様子を示す説明図
【図８】注視部の接眼部からの距離とマークの明るさとの関係を示す図
【図９】表示手段を注視部と別に設けた構成を示す断面図
【符号の説明】
【００３７】
１  筐体内部空間
２  注視部移動手段格納部
３  接眼部
４  注視部
５  表示部
６  マーク
７  視力矯正部
８  支柱
９  台座
１０  プーリー
１１  プーリー
１２  ベルト
１３  モーター
１４  距離保持部
１５  距離保持部
１６  表示手段
２０  制御装置
２１  主制御部
２２  注視部移動制御部
２３  注視部表示制御部
２４  操作部
【図１】
2007097673.tif 000003
【図２】
2007097673.tif 000004
【図３】
2007097673.tif 000005
【図４】
2007097673.tif 000006
【図５】
2007097673.tif 000007
【図６】
2007097673.tif 000008
【図７】
2007097673.tif 000009
【図８】
2007097673.tif 000010
【図９】
2007097673.tif 000011